(57)【要約】【課題】車両の走行状態に応じた適切な態様で情報提供を行う。【解決手段】携帯端末２と接続可能な車載装置１は、携帯端末２から送信される広告情報をインタフェース部１５により受信し、この広告情報を表示部１１に表示または音声出力部１３から音声出力することで、車両の乗員であるユーザに提供する。このとき、制御部１０の処理により、車両の走行状態を判断する。この判断結果から、車両の走行状態に応じて、広告情報のうち非画像情報であるテキスト情報の提供態様を変化させる。具体的には、車両が停止中のときにはテキスト情報を表示部１１に表示し、車両が走行中のときにはテキスト情報の表示を禁止する。【選択図】図２
2013250132.tif 000002
【特許請求の範囲】
【請求項１】
携帯型の情報端末と接続可能な車載装置であって、
前記情報端末から送信される情報を受信する受信手段と、
前記受信手段により受信された情報を車両の乗員に提供する情報提供手段と、
前記車両の走行状態を判断する走行状態判断手段とを備え、
前記情報は、非画像情報を含み、
前記情報提供手段は、前記走行状態判断手段により判断された前記車両の走行状態に応じて、前記非画像情報の提供態様を変化させることを特徴とする車載装置。
【請求項２】
請求項１に記載の車載装置において、
前記非画像情報は、テキスト情報を含み、
前記情報提供手段は、前記車両が停止中のときには前記テキスト情報を表示し、前記車両が走行中のときには前記テキスト情報の表示を禁止することを特徴とする車載装置。
【請求項３】
請求項２に記載の車載装置において、
前記情報提供手段は、前記車両が走行中のときに前記テキスト情報に基づく音声を出力することを特徴とする車載装置。
【請求項４】
請求項１に記載の車載装置において、
前記非画像情報は、テキスト情報を含み、
前記情報提供手段は、前記車両が停止中のときには前記テキスト情報を全て表示し、前記車両が走行中のときには前記テキスト情報を所定の文字数に制限して表示することを特徴とする車載装置。
【請求項５】
請求項４に記載の車載装置において、
前記情報提供手段は、前記車両が走行中のときに前記テキスト情報に基づく音声を前記所定の文字数を超えて出力することを特徴とする車載装置。
【請求項６】
請求項１、２または４に記載の車載装置において、
前記非画像情報は、停止用の音声情報および走行用の音声情報を含み、
前記情報提供手段は、前記車両が停止中のときには前記停止用の音声情報に基づく音声を出力し、前記車両が走行中のときには前記走行用の音声情報に基づく音声を出力することを特徴とする車載装置。
【請求項７】
請求項１乃至６のいずれか一項に記載の車載装置において、
前記情報は、画像情報をさらに含み、
前記情報提供手段は、前記走行状態判断手段により判断された前記車両の走行状態に応じて、前記画像情報の提供態様をさらに変化させることを特徴とする車載装置。
【請求項８】
請求項１乃至７のいずれか一項に記載の車載装置と、
前記車載装置と接続されて前記非画像情報を含む情報を前記車載装置へ送信する携帯型の情報端末とを備えることを特徴とする車載情報システム。
【発明の詳細な説明】
【技術分野】
【０００１】
本発明は、車両に搭載されて使用される車載装置と、この車載装置を含む車載情報システムとに関する。
【背景技術】
【０００２】
従来、携帯型の情報端末から交通情報、動画、音楽などの様々な画像データを受信し、自車両の走行状態に応じてこれらの画像データの表示態様を制御する車載装置が知られている（特許文献１参照）。
【先行技術文献】
【特許文献】
【０００３】
【特許文献１】特開２００９−２８１９９１号公報
【発明の概要】
【発明が解決しようとする課題】
【０００４】
携帯型の情報端末から提供される情報を車載装置において車両の運転者に提供する際には、車両の走行状態に応じた適切な態様で情報提供を行うことが好ましい。たとえば広告情報の場合、車両が停止状態であれば、印象的な画像や音声を用いて広告情報を提供することができる。一方、車両が走行中であれば、こうした画像や音声ではなく、簡潔で分かりやすいテキストや音声を用いて広告情報を提供することで、運転操作に悪影響を及ぼさない範囲で最大限の広告効果を図ることが好ましい。しかし、特許文献１に記載の車載装置は、単に車両の走行状態に応じて画像データの表示態様を制御するのみであり、上記のように車両の走行状態に応じた適切な態様で情報提供を行うものではない。
【課題を解決するための手段】
【０００５】
本発明による車載装置は、携帯型の情報端末と接続可能な車載装置であって、情報端末から送信される情報を受信する受信手段と、受信手段により受信された情報を車両の乗員に提供する情報提供手段と、車両の走行状態を判断する走行状態判断手段とを備える。上記の情報は非画像情報を含み、情報提供手段は、走行状態判断手段により判断された車両の走行状態に応じて、非画像情報の提供態様を変化させる。
本発明による車載情報システムは、上記の車載装置と、車載装置と接続されて非画像情報を含む情報を車載装置へ送信する携帯型の情報端末とを備える。
【発明の効果】
【０００６】
本発明によれば、車両の走行状態に応じた適切な態様で情報提供を行うことができる。
【図面の簡単な説明】
【０００７】
【図１】本発明の一実施形態による車載情報システムの構成を示す図である。
【図２】車載装置および携帯端末の構成を示すブロック図である。
【図３】本発明の第１の実施形態の車載装置において表示される地図画面の例を示す図である。
【図４】図３の地図画面を表示する際に車載装置において実行される処理のフローチャートである。
【図５】本発明の第２の実施形態の車載装置において表示される音楽再生画面の例を示す図である。
【図６】図５の音楽再生画面を表示する際に車載装置において実行される処理のフローチャートである。
【発明を実施するための形態】
【０００８】
（第１の実施形態）
以下に本発明の第１の実施形態について説明する。図１は、本発明の一実施形態による車載情報システムの構成を示す図である。図１に示す車載情報システムは、車両に搭載されて使用されるものであり、車載装置１と携帯端末２がケーブル３を介して互いに接続されることによって実現される。車載装置１は、車両内に固定されており、たとえば車両のインストルメントパネル内などに設置されている。携帯端末２は、ユーザが持ち運び可能な携帯型の情報端末であり、たとえば携帯電話やスマートフォンなどである。
【０００９】
車載装置１には、表示部１１が設けられている。表示部１１は、各種の画像を表示可能なタッチパネル式の表示モニタであり、たとえば抵抗膜方式のタッチパネルスイッチと液晶ディスプレイとを組み合わせて構成される。車両の乗員であるユーザは、表示部１１において任意の位置を指等でタッチ操作してその位置に表示されたアイコンや操作ボタン等を指定することで、所望の機能を携帯端末２に実行させることができる。なお、表示部１１に加えて、さらに所定の操作に対応する操作スイッチを車載装置１に設けてもよい。
【００１０】
携帯端末２には、表示部２１が設けられている。表示部２１は、各種の画像を表示可能なタッチパネル式の表示モニタであり、たとえば静電容量方式のタッチパネルスイッチと液晶ディスプレイとを組み合わせて構成される。ユーザは、表示部２１に表示される画像の内容に応じて、表示部２１上で任意の位置を指等でタッチすることで、所望の機能を携帯端末２に実行させることができる。なお、前述の車載装置１と同様に、表示部２１に加えて、さらに所定の操作に対応する操作スイッチを携帯端末２に設けてもよい。
【００１１】
車載装置１の表示部１１には、車載装置１自身が生成した画面と、携帯端末２が車載装置１で表示するために生成した画面とのいずれかを表示可能である。携帯端末２において生成された画面を表示部１１に表示する場合、携帯端末２は、その画面を表示するための画像データをケーブル３を介して車載装置１へ出力する。たとえば、画面を構成する各画素のＲＧＢデータを画像データとして携帯端末２から車載装置１へ出力したり、静止画や動画を所定のファイル形式で表した画像データを携帯端末２から車載装置１へ出力したりすることができる。
【００１２】
図２は、車載装置１および携帯端末２の構成を示すブロック図である。図２に示すように車載装置１は、制御部１０、表示部１１、操作部１２、音声出力部１３、メモリ部１４、インタフェース部１５およびＤ／Ａ変換部１６を有する。一方、携帯端末２は、制御部２０、表示部２１、操作部２２、音声出力部２３、メモリ部２４、インタフェース部２５、無線通信部２６およびＧＰＳ（Global Positioning System）受信部２７を有する。
【００１３】
車載装置１において、制御部１０は、マイクロプロセッサや各種周辺回路、ＲＡＭ、ＲＯＭ等によって構成されており、メモリ部１４に記録されている制御プログラムに基づいて各種の処理を実行する。この制御部１０が行う処理により、各種の画像表示処理や音声出力処理などが実行される。
【００１４】
表示部１１は、図１を用いて前述したように、液晶ディスプレイ等によって構成される表示モニタである。操作部１２は、表示部１１に対するユーザのタッチ操作を検出するための部分であり、前述のタッチパネルスイッチに相当する。なお、図２では表示部１１と操作部１２を別々に示しているが、実際にはこれらが一体化されてタッチパネル式の表示モニタを構成している。また、前述のように操作スイッチを車載装置１に設けた場合は、その操作スイッチも操作部１２に含まれる。操作部１２に対して行われたユーザの入力操作内容は制御部１０へ出力され、制御部１０が行う処理に反映される。
【００１５】
音声出力部１３は、アンプ、スピーカ等を有しており、制御部１０の制御によって各種の音声を出力することができる。たとえば、携帯端末２または不図示の記録媒体から読み出された音楽データを再生した音楽や、車両を目的地まで誘導するための誘導音声などが音声出力部１３から出力される。
【００１６】
メモリ部１４は、不揮発性のデータ格納装置であり、たとえばＨＤＤ（ハードディスクドライブ）やフラッシュメモリ等によって実現される。メモリ部１４には、たとえば制御部１０において用いられる前述の制御プログラムなど、各種のデータが記憶されている。メモリ部１４におけるデータの読み出しおよび書き込みは、制御部１０の制御により必要に応じて行われる。
【００１７】
インタフェース部１５は、制御部１０の制御により、ケーブル３を介して携帯端末２との間で情報の送受信を行う際に必要なインタフェース処理を行う。たとえば、制御部１０から出力された情報を所定の信号形式に変換して携帯端末２へ送信したり、携帯端末２から所定の信号形式で出力された情報を受信して制御部１０へ出力したりする。インタフェース部１５によるインタフェース処理は、たとえばＵＳＢ（Universal Serial Bus）など所定の通信規格に従って行われる。
【００１８】
Ｄ／Ａ変換部１６は、制御部１０の制御により、携帯端末２からケーブル３を介して送信されインタフェース部１５により受信されたデジタル形式の音声データをアナログ形式の音声信号に変換し、音声出力部１３へ出力する。この音声信号に基づいて音声出力部１３のアンプやスピーカを駆動することにより、前述のようにして音楽や誘導音声を出力することができる。
【００１９】
一方、携帯端末２において、制御部２０は、車載装置１の制御部１０と同様にマイクロプロセッサや各種周辺回路、ＲＡＭ、ＲＯＭ等によって構成されており、メモリ部２４に記録されている制御プログラムに基づいて各種の処理を実行する。なお、制御部２０が実行する処理の中には、上記のような車載装置１で表示するための画面を生成する処理も含まれている。
【００２０】
表示部２１は、前述のように液晶ディスプレイ等の表示モニタである。操作部２２は、表示部２１に対するユーザのタッチ操作を検出するための部分であり、前述のタッチパネルスイッチに相当する。なお、図２では表示部２１と操作部２２を別々に示しているが、実際にはこれらが一体化されてタッチパネル式の表示モニタを構成している。また、前述のように操作スイッチを携帯端末２に設けた場合は、その操作スイッチも操作部２２に含まれる。操作部２２に対して行われたユーザの入力操作内容は制御部２０へ出力され、制御部２０が行う処理に反映される。
【００２１】
音声出力部２３は、アンプ、スピーカ等を有しており、制御部２０の制御によって各種の音声を出力することができる。たとえば、携帯端末２を用いて通話を行ったときには、通話相手の音声が音声出力部２３から出力される。
【００２２】
メモリ部２４は、車載装置１のメモリ部１４と同様の不揮発性のデータ格納装置であり、制御部２０の処理において利用するための各種のデータが記憶されている。このメモリ部２４には、ユーザが予め入手した様々なアプリケーションプログラム（以下、単にアプリケーションと称する）が記憶されている。ユーザは、メモリ部２４に記憶された各種アプリケーションの中からいずれかを選択して制御部２０に実行させることにより、様々な機能を携帯端末２において実現することができる。
【００２３】
インタフェース部２５は、車載装置１のインタフェース部１５と同様に、ＵＳＢ等の所定の通信規格に基づいたインタフェース処理を行う。すなわち、車載装置１と携帯端末２との間の通信は、インタフェース部１５とインタフェース部２５とがケーブル３を介して互いに接続された状態で行われる。
【００２４】
無線通信部２６は、不図示の無線通信回線網を介して携帯端末２を他の携帯端末やサーバに接続するための無線通信を行う。携帯端末２は、無線通信部２６が行う無線通信により、他の携帯端末との間で通話を行ったり、サーバから任意のアプリケーションをダウンロードしたりすることができる。なお、無線通信部２６が行う無線通信では、たとえば携帯電話回線網や、無線ＬＡＮを介したインターネット回線網などを無線通信回線網として利用することができる。
【００２５】
ＧＰＳ受信部２７は、ＧＰＳ衛星から送信されるＧＰＳ信号を受信して制御部２０へ出力する。ＧＰＳ信号には、携帯端末２の現在位置と現在時刻を求めるための情報として、そのＧＰＳ信号を送信したＧＰＳ衛星の位置と送信時刻に関する情報が含まれている。したがって、所定数以上のＧＰＳ衛星からＧＰＳ信号を受信することにより、これらの情報に基づいて現在位置と現在時刻を制御部２０において算出することができる。
【００２６】
次に、本実施形態の車載情報システムにおいて行われる処理について説明する。本実施形態の車載情報システムは、車載装置１と携帯端末２とが接続された状態で、携帯端末２において各種のアプリケーションを実行することにより、そのアプリケーションに応じた様々な処理を行うことができる。たとえば、ナビゲーション用のアプリケーションを実行すると、車両を目的地まで誘導するためのナビゲーション処理が行われる。このナビゲーション処理では、携帯端末２により、現在位置付近など所定の地図範囲について地図画面を作成し、その地図画面の画像データを車載装置１へ送信する。携帯端末２から画像データを受信した車載装置１は、表示部１１に地図画面を表示する。また、出発地から目的地までの推奨経路を携帯端末２において予め探索しておき、車両が推奨経路上の誘導地点に近づくと、その誘導地点における車両の進行方向に応じた誘導音声を出力するための情報を携帯端末２から車載装置１へ送信する。これを受信することで、車載装置１は音声出力部１３から誘導音声を出力する。以上説明したように、表示部１１に地図画面を表示したり、音声出力部１３から誘導音声を出力したりすることで、車載装置１は、車両を運転しているユーザに対して、迷わずに目的地まで到達できるようにするための報知を行う。
【００２７】
なお、携帯端末２がナビゲーション用のアプリケーションを実行するために必要な地図データ等の各種データは、携帯端末２のメモリ部２４において予め記憶されたものを使用してもよい。あるいは、メモリ部２４には必要最小限のデータのみを記憶しておき、携帯端末２がナビゲーション用のアプリケーションを実行したときには、無線通信部２６を用いて所定のサーバに接続し、必要なデータをその都度取得するようにしてもよい。
【００２８】
携帯端末２では、上記のようなナビゲーション用のアプリケーションを含む複数のアプリケーションのうち、ユーザに選択されたアプリケーションを実行する。ユーザは、携帯端末２の表示部２１に表示されるメニュー画面において、表示部２１に対して操作部２２を用いたタッチ操作により所望のアプリケーションを選択することで、携帯端末２に実行させるアプリケーションの選択を行うことができる。
【００２９】
さらに携帯端末２は、メニュー画面を表示するための画像データを車載装置１へ送信することもできる。車載装置１は、携帯端末２から送信された画像データに基づいて、表示部１１に車載装置１用のメニュー画面を表示する。このメニュー画面において、ユーザが表示部１１に対して操作部１２を用いたタッチ操作により所望のアプリケーションを選択すると、車載装置１は、タッチ操作で指定された画面上の位置を表すタッチ操作情報を携帯端末２へ送信する。携帯端末２は、車載装置１から送信されたタッチ操作情報に基づいて、ユーザがどのアプリケーションを選択したかを認識し、そのアプリケーションを実行する。これによりユーザは、携帯端末２の表示部２１に表示されるメニュー画面を用いた場合と同様に、携帯端末２に実行させるアプリケーションの選択を行うことができる。
【００３０】
ここで、携帯端末２において実行される各種アプリケーションの中には、車両の乗員であるユーザに対して広告情報の提供を行うものが存在する。たとえば、スポンサーから提供される広告情報をユーザが受け取ることでユーザの利用料金を無料化したアプリケーションや、ユーザの設定条件に合致する広告情報を取得してユーザに提供するアプリケーションなどが考えられる。このようなアプリケーションのことを、以下では広告提供アプリケーションと称する。
【００３１】
本実施形態では、前述のナビゲーション用のアプリケーションを広告提供アプリケーションとして実現した場合を例に挙げて説明する。図３は、携帯端末２が広告提供アプリケーションとしてのナビゲーション用のアプリケーションを実行しているときに、車載装置１において表示部１１に表示される地図画面の例を示す図である。図３（ａ）は車両が停止中のときの地図画面例であり、図３（ｂ）は車両が走行中のときの地図画面例である。
【００３２】
携帯端末２においてナビゲーション用のアプリケーションを実行すると、携帯端末２は、現在位置の周辺など所定の地図範囲について前述のような方法により地図画像を作成し、その地図画像を表すための画像データを車載装置１へ送信する。この画像データに基づいて、車載装置１は、図３（ａ）に示す地図画像３０を表示部１１に表示する。
【００３３】
携帯端末２はさらに、上記の画像データと共に、ユーザに広告情報を提供するための広告データを車載装置１へ送信する。広告データには、広告文字を表示するためのテキストデータ、広告文字の背景画像を表示するための背景画像データ、広告の表示位置や大きさを指定するための配置データ等が含まれる。携帯端末２は、このような広告データを、たとえば無線通信部２６により接続されたサーバから取得することができる。あるいは、アプリケーションを実行するためのデータの一部として予めメモリ部２４に記憶しておいてもよい。
【００３４】
携帯端末２から送信された広告データを受信すると、車載装置１は、その広告データに含まれる背景画像データおよび配置データに基づいて、図３（ａ）に示す広告フレーム３１を表示部１１に表示する。このとき、地図画像３０上の所定位置に広告フレーム３１を重ねて表示する。そして、車両が停止中のときには、この広告フレーム３１の上に、広告データに含まれるテキストデータに基づく広告文字を表示する。その結果、図３（ａ）に示すような広告文字が広告フレーム３１において表示される。
【００３５】
車両が走行を開始すると、車載装置１は、図３（ａ）の地図画面から図３（ｂ）の地図画面に切り替える。図３（ｂ）の地図画面では、車両を運転しているユーザの運転操作に悪影響を及ぼさないようにするため、広告フレーム３１において広告文字が消去されている。この広告文字の内容は、車載装置１から音声により出力される。このようにすることで、車載装置１は、車両の走行中にユーザの運転操作を妨げることなく、ユーザに対して広告情報を提供する。
【００３６】
以上説明したように、車載装置１は、車両が停止中であれば、図３（ａ）のような画面により広告文字を表示する。一方、車両が走行中であれば、広告文字の表示を禁止して広告文字を音声で出力する。このようにして、車両の走行状態に応じてユーザへの広告情報の提供態様を変化させることで、走行状態ごとに適切な態様でユーザに広告情報を提供することができる。
【００３７】
以上説明した図３の地図画面を表示する際に車載装置１において実行される処理のフローチャートを図４に示す。このフローチャートに示す処理は、車載装置１において制御部１０により所定周期ごとに実行されるものである。
【００３８】
ステップＳ１０において、制御部１０は、インタフェース部１５を用いて、画像データおよび広告データを携帯端末２から受信する。これらのデータは、広告提供アプリケーションとしてのナビゲーション用のアプリケーションが携帯端末２において実行されることにより、携帯端末２から車載装置１へ送信されるものである。
【００３９】
ステップＳ２０において、制御部１０は、ステップＳ１０で携帯端末２から受信した画像データに基づいて、携帯端末２が実行中のアプリケーションに応じたアプリケーション画像を表示部１１に表示する。ここでは、図３（ａ）、（ｂ）に示すような地図画像３０をアプリケーション画像として表示する。さらに、このアプリケーション画像としての地図画像３０に重ねて、図３（ａ）、（ｂ）に示すような広告フレーム３１を表示する。この広告フレーム３１の図柄や配置は、ステップＳ１０で携帯端末２から受信した広告データに含まれる背景画像データや配置データに基づいて決定される。
【００４０】
ステップＳ３０において、制御部１０は、車載装置１を搭載している車両が走行中であるか否かを判定する。この判定は、たとえば車両から出力される車速情報に基づいて行うことができる。その結果、車両が走行中であると判定した場合はステップＳ４０へ進み、停止中であると判定した場合はステップＳ５０へ進む。
【００４１】
ステップＳ４０において、制御部１０は、ステップＳ１０で携帯端末２から受信した広告データのうちテキストデータに基づいて、このテキストデータが表す広告文字の読み上げを行う。ここでは、たとえばＴＴＳ（Text To Speech）と呼ばれる周知の音声合成技術を用いて、テキストデータに基づく広告文字を音声に変換して音声出力部１３から出力することで、広告文字を読み上げる。このようにして、車両が走行中のときには、広告データにおけるテキストデータの表示を車載装置１において禁止すると共に、そのテキストデータに基づく音声を車載装置１から出力することで、車両の乗員であるユーザに広告情報を提供する。
【００４２】
一方、ステップＳ５０において、制御部１０は、ステップＳ１０で携帯端末２から受信した広告データに含まれるテキストデータを表示部１１に表示する。このテキストデータの表示は、ステップＳ２０で表示した広告フレーム３１の中で行われる。このようにして、車両が停止中のときには、広告データにおけるテキストデータを車載装置１において表示することで、車両の乗員であるユーザに広告情報を提供する。
【００４３】
ステップＳ４０またはＳ５０を実行したら、制御部１０は図４のフローチャートを終了する。
【００４４】
以上説明した本発明の第１の実施形態によれば、次のような作用効果を奏する。
【００４５】
（１）携帯端末２と接続可能な車載装置１は、携帯端末２から送信される広告情報をインタフェース部１５により受信し（ステップＳ１０）、この広告情報を表示部１１に表示または音声出力部１３から音声出力することで、車両の乗員であるユーザに提供する（ステップＳ４０、Ｓ５０）。このとき、制御部１０の処理により、車両の走行状態を判断する（ステップＳ３０）。この判断結果から、車両の走行状態に応じてステップＳ４０またはＳ５０のいずれかの処理を実行することで、広告情報のうち非画像情報であるテキスト情報の提供態様を変化させる。このようにしたので、車両の走行状態に応じた適切な態様で広告情報の提供を行うことができる。
【００４６】
（２）制御部１０は、車両が停止中のときには、ステップＳ５０の処理を実行することでテキスト情報を表示部１１に表示する。一方、車両が走行中のときには、ステップＳ４０の処理を実行することでテキスト情報の表示を禁止する。このようにしたので、車両の走行中に広告文字が表示されることでユーザの運転操作が妨げられるのを防止できる。
【００４７】
（３）制御部１０は、車両が走行中のときにステップＳ４０の処理を実行することで、テキスト情報に基づく音声を音声出力部１３から出力する。このようにしたので、車両の走行中にユーザの運転操作を妨げることなく、ユーザに対して広告情報を提供することができる。
【００４８】
（第２の実施形態）
次に本発明の第２の実施形態について説明する。本実施形態では、車載装置１が音楽再生を行っているときに、携帯端末２において広告提供アプリケーションを実行することで、車両の乗員であるユーザに対して広告情報を提供する場合の例を説明する。
【００４９】
なお、本実施形態に係る車載情報システムの構成や、車載装置１および携帯端末２の構成は、前述の第１の実施形態で説明した図１、２とそれぞれ同様である。そのため、以下ではこれらについての説明を省略する。
【００５０】
図５は、携帯端末２が広告提供アプリケーションを実行しているときに、車載装置１において表示部１１に表示される音楽再生画面の例を示す図である。図５（ａ）は車両が停止中のときの音楽再生画面例であり、図５（ｂ）は車両が走行中のときの音楽再生画面例である。
【００５１】
車載装置１は、ＣＤやメモリ部１４、あるいは携帯端末２から音楽データを取得し、この音楽データを再生して音声出力部１３から出力することで音楽再生を行う。このとき車載装置１は、図５（ａ）に示すように、音楽データの取得先やトラック番号、再生時間等の音楽再生情報５０を表示部１１に表示する。
【００５２】
携帯端末２において広告提供アプリケーションを実行すると、携帯端末２は、ユーザに広告情報を提供するための広告データを車載装置１へ送信する。この広告データには、第１の実施形態で説明したのと同様のテキストデータに加えて、静止画像と動画像の両方で広告画像を表示するための画像データがさらに含まれる。携帯端末２は、このような広告データを、たとえば無線通信部２６により接続されたサーバから取得することができる。あるいは、アプリケーションを実行するためのデータの一部として予めメモリ部２４に記憶しておいてもよい。
【００５３】
携帯端末２から送信された広告データを受信すると、車載装置１は、その広告データに含まれるテキストデータに基づいて、画面上の所定位置に設けられた文字表示枠５１に広告文字を表示する。なお、文字表示枠５１において表示可能な文字数は予め定められており、テキストデータが表す広告文字の数がそれ以上の場合は、そのうち一部分、たとえば先頭から所定文字数のみが表示される。その結果、図５（ａ）に示すような広告文字が文字表示枠５１に表示される。
【００５４】
車載装置１はさらに、携帯端末２から受信した広告データに含まれる画像データに基づいて、画面上の所定位置に設けられた画像表示枠５２に広告画像を静止画像として表示する。これにより、図５（ａ）に示すように、広告画像が静止状態で画像表示枠５２に表示される。
【００５５】
以上説明したような広告文字および広告画像を表示する際に、車載装置１は、これらを操作するための広告操作ボタン５３〜５６を画面上の所定位置にそれぞれ表示する。広告操作ボタン５３は、文字表示枠５１に表示されている広告文字をスクロールするための操作ボタンである。広告操作ボタン５４は、広告音声を出力するための操作ボタンである。広告操作ボタン５５は、画像表示枠５２に静止状態で表示されている広告画像を動画像として再生するための操作ボタンである。広告操作ボタン５６は、動画像で表示されている広告画像を停止して静止画像とするための操作ボタンである。
【００５６】
車載装置１は、車両が停止中のときには、上記の広告操作ボタン５３〜５６を全て選択可能とし、いずれかの広告操作ボタンが画面上でユーザにより選択されると、その広告操作ボタンに応じた処理を実行する。すなわち、広告操作ボタン５３が選択された場合は、テキストデータが表す広告文字を最後まで表示できるように、文字表示枠５１に表示されている広告文字をスクロールする。また、広告操作ボタン５４が選択された場合は、再生中の音楽をミュートまたは中断し、テキストデータに基づく広告音声を音声出力部１３から出力する。広告操作ボタン５５が選択された場合は、画像表示枠５２において広告画像を動画像再生し、広告操作ボタン５６が選択された場合は、動画像再生中の広告画像を停止する。
【００５７】
なお、車両が停止中のときには、広告操作ボタン５３や広告操作ボタン５４が選択されなくても広告文字のスクロールや広告音声の出力を自動的に開始したり、広告操作ボタン５５が選択されなくても広告画像の動画像再生を自動的に開始したりしてもよい。また、これらのうち２つ以上を互いに同期させて行ってもよい。
【００５８】
車両が走行を開始すると、車載装置１は、図５（ａ）の音楽再生画面から図５（ｂ）の音楽再生画面に切り替える。図５（ｂ）の音楽再生画面では、車両を運転しているユーザの運転操作に悪影響を及ぼさないようにするため、広告操作ボタン５４のみが選択可能とされる。他の広告操作ボタン５３、５５および５６はシャドウ表示されており、図５（ｂ）の音楽再生画面では選択することができない。この図５（ｂ）の音楽再生画面において、広告操作ボタン５４が選択されると、図５（ａ）の場合と同様に、テキストデータに基づく広告音声が出力される。このようにすることで、車載装置１は、車両の走行中にユーザの運転操作を妨げることなく、ユーザに対して広告情報を提供する。
【００５９】
以上説明したように、車載装置１は、車両が停止中であれば、図５（ａ）のような画面により広告文字の全てをスクロール表示する。一方、車両が走行中であれば、図５（ｂ）のような画面により広告文字を所定の文字数に制限して表示すると共に、広告操作ボタン５４が選択されると、この制限文字数を超えて広告文字を音声で出力する。このようにして、車両の走行状態に応じてユーザへの広告情報の提供態様を変化させることで、走行状態ごとに適切な態様でユーザに広告情報を提供することができる。
【００６０】
以上説明した図５の音楽再生画面を表示する際に車載装置１において実行される処理のフローチャートを図６に示す。このフローチャートに示す処理は、車載装置１において制御部１０により所定周期ごとに実行されるものである。
【００６１】
ステップＳ１１０において、制御部１０は、再生中の音楽データに基づいて、図５（ａ）、（ｂ）に示すような音楽再生情報５０を表示部１１に表示する。
【００６２】
ステップＳ１２０において、制御部１０は、インタフェース部１５を用いて、広告データを携帯端末２から受信する。この広告データは、広告提供アプリケーションが携帯端末２において実行されることにより、携帯端末２から車載装置１へ送信されるものである。
【００６３】
ステップＳ１３０において、制御部１０は、ステップＳ１２０で携帯端末２から受信した広告データに含まれるテキストデータおよび画像データに基づいて、図５（ａ）、（ｂ）に示すような広告文字および広告画像を表示部１１に表示する。このとき、広告文字については前述のように所定の文字数に制限して文字表示枠５１に表示し、広告画像については静止画像として画像表示枠５２に表示する。
【００６４】
ステップＳ１４０において、制御部１０は、図５（ａ）、（ｂ）に示すような広告操作ボタン５３〜５６を表示部１１に表示する。これらの広告操作ボタンの画面上の表示位置は、車載装置１において予め定められている。
【００６５】
ステップＳ１５０において、制御部１０は、車載装置１を搭載している車両が走行中であるか否かを判定する。この判定は、図４のステップＳ３０と同様に、たとえば車両から出力される車速情報に基づいて行うことができる。その結果、車両が走行中であると判定した場合はステップＳ１６０へ進み、停止中であると判定した場合はステップＳ１７０へ進む。
【００６６】
ステップＳ１６０において、制御部１０は、ステップＳ１４０で表示した広告操作ボタン５３〜５６のうち、広告音声を出力するための広告操作ボタン５４以外の広告操作ボタン、すなわち広告操作ボタン５３、５５および５６の選択を禁止する。このとき図５（ｂ）に示すように、広告操作ボタン５３、５５および５６をシャドウ表示することで、これらの広告操作ボタンが選択できないことをユーザに通知する。
【００６７】
ステップＳ１７０において、制御部１０は、ステップＳ１４０で表示した広告操作ボタン５３〜５６のうちいずれかの広告操作ボタンがユーザによって選択されたか否かを判定する。このとき、ステップＳ１５０で車両が走行中であると判定した場合は、ステップＳ１６０で選択が禁止された広告操作ボタン５３、５５および５６をステップＳ１７０の判定対象から除外する。いずれかの広告操作ボタンが選択されるまでは、ステップＳ１５０へ戻って上記のような処理を繰り返し、いずれかの広告操作ボタンが選択されたらステップＳ１８０へ進む。
【００６８】
ステップＳ１８０において、制御部１０は、ユーザに選択された広告操作ボタンに応じた処理を実行する。すなわち、広告操作ボタン５３が選択された場合は文字表示枠５１に表示されている広告文字をスクロールし、広告操作ボタン５４が選択された場合は広告音声を音声出力部１３から出力する。なお、広告音声の出力は、第１の実施形態と同様に、たとえばＴＴＳと呼ばれる周知の音声合成技術を用いてテキストデータに基づく広告文字を音声に変換することで実現できる。また、広告操作ボタン５５が選択された場合は画像表示枠５２に表示されている広告画像を動画像として再生し、広告操作ボタン５６が選択された場合は再生中の広告画像を停止する。このようにして、車両の乗員であるユーザに選択された広告操作ボタンに応じた内容の広告情報を提供する。
【００６９】
ステップＳ１８０を実行したら、制御部１０は図６のフローチャートを終了する。
【００７０】
以上説明した本発明の第２の実施形態によれば、次のような作用効果を奏する。
【００７１】
（１）携帯端末２と接続可能な車載装置１は、携帯端末２から送信される広告情報をインタフェース部１５により受信し（ステップＳ１２０）、この広告情報を広告操作ボタン５３〜５６の操作に応じて表示部１１に表示または音声出力部１３から音声出力することで、車両の乗員であるユーザに提供する（ステップＳ１８０）。このとき、制御部１０の処理により、車両の走行状態を判断する（ステップＳ１５０）。この判断結果から、車両の走行状態に応じてステップＳ１６０の処理を実行するか否かを決定し、実行した場合は、広告文字をスクロールするための広告操作ボタン５３の選択をステップＳ１６０において禁止することで、広告情報のうち非画像情報であるテキスト情報の提供態様を変化させる。このようにしたので、第１の実施形態と同様に、車両の走行状態に応じた適切な態様で広告情報の提供を行うことができる。
【００７２】
（２）制御部１０は、車両が停止中のときには、ステップＳ１６０の処理を実行せずに広告操作ボタン５３の選択を許可することで、広告操作ボタン５３が選択されるとテキスト情報をスクロールして全て表示する。一方、車両が走行中のときには、ステップＳ１６０の処理を実行して広告操作ボタン５３の選択を禁止することで、テキスト情報を所定の文字数に制限して表示する。このようにしたので、車両の走行中に多くの広告文字が表示されることでユーザの運転操作が妨げられるのを防止できる。
【００７３】
（３）制御部１０は、車両が走行中のときであっても、広告操作ボタン５４が選択されると、テキスト情報に基づく音声を所定の文字数を超えて音声出力部１３から出力する。このようにしたので、車両の走行中にユーザの運転操作を妨げることなく、広告文字で表示されていない広告情報をユーザに対して提供することができる。
【００７４】
（４）制御部１０は、ステップＳ１５０で判断された車両の走行状態に応じて、車両が走行中の場合は、広告画像を動画像再生するための広告操作ボタン５５の選択をステップＳ１６０において禁止することで、広告情報のうち広告画像を表示するための画像情報の提供態様をさらに変化させる。このようにしたので、車両の走行状態に応じて、より一層適切な態様で広告情報の提供を行うことができる。
【００７５】
なお、前述の第１の実施形態においても、第２の実施形態と同様の広告画像を地図画面上に表示してもよい。さらに、第２の実施形態と同様に、車両の走行状態に応じて、車両が停止中であれば広告画像を動画像として表示し、車両が走行中であれば広告画像を静止画として表示してもよい。このようにすれば、車両の走行状態に応じて、より一層適切な態様で広告情報の提供を行うことができる。
【００７６】
前述の第１および第２の実施形態では、広告データに含まれるテキストデータを読み上げることで広告音声を出力する例をそれぞれ説明した。しかし、このようにはせず、広告データの一部として音声データを携帯端末２から車載装置１へ送信し、この音声データを車載装置１において再生することで広告音声を出力するようにしてもよい。さらに、車両が停止中のときに再生するための停止用の音声データと、車両が走行中のときに再生するための走行用の音声データとを、携帯端末２から車載装置１へそれぞれ送信し、車載装置１では、これらの音声データを車両の走行状態に応じて使い分けてもよい。このようにすれば、車両の走行状態に応じて適切な広告音声をユーザに提供することができる。
【００７７】
また、第１および第２の実施形態では、携帯端末２から車載装置１へ広告情報を送信し、その広告情報を車載装置１において車両の乗員であるユーザに提供する例を説明したが、提供する情報は広告情報に限定されない。同様の方法により、ユーザにとって有用な各種の情報を提供することができる。
【００７８】
以上説明した第１および第２の実施形態では、携帯端末２から車載装置１へケーブル３を介して画像情報や広告情報を送信する例を説明したが、他の通信方法によりこれらの情報を送信してもよい。たとえば、画像信号送信用のケーブルをケーブル３とは別に接続し、このケーブルを介して画像信号を携帯端末２から車載装置１へ送信することで、携帯端末２で生成した画像を車載装置１の表示部１１に表示するようしてもよい。また、ブルートゥース（登録商標）、ワイヤレスＵＳＢ等の無線通信や、ＵＳＢ以外の有線通信などを用いることもできる。車載装置１と携帯端末２との間で必要な情報を送受信可能なものである限り、どのような通信方法を採用してもよい。
【００７９】
以上説明した各実施の形態や各種の変形例はあくまで一例であり、発明の特徴が損なわれない限り、本発明はこれらの内容に限定されるものではない。また、上記各実施の形態と変形例とを任意に組み合わせて用いてもよい。
【符号の説明】
【００８０】
１：車載装置、２：携帯端末、３：ケーブル、１０：制御部、１１：表示部、１２：操作部、１３：音声出力部、１４：メモリ部、１５：インタフェース部、１６：Ｄ／Ａ変換部、２０：制御部、２１：表示部、２２：操作部、２３：音声出力部、２４：メモリ部、２５：インタフェース部、２６：無線通信部、２７：ＧＰＳ受信部
【図１】
2013250132.tif 000003
【図２】
2013250132.tif 000004
【図３】
2013250132.tif 000005
【図４】
2013250132.tif 000006
【図５】
2013250132.tif 000007
【図６】
2013250132.tif 000008